(57)【要約】  液体容器上に装着するための閉鎖キャップ（７）、好ましくはねじ式閉鎖キャップは少なくとも、好ましくは再閉鎖可能な注出開口部（９）と、少なくとも１つの分注物、たとえば錠剤を受容するための受容要素（１）と、ここにおいて、少なくとも１つの分注物が液体と接触できるようにこの受容要素（１）は液体が透過可能であり、少なくとも１つの分注物を受容容積内に導入するためのまたはこれを受容容積から取り出すための開口部と、を備える。閉鎖キャップ（７）の動作状態（８）において、受容要素（１）は、開口部を通して、受容容積から分注物を変更するための装填位置へ、また受容容積内に入り分注位置への両方に移され得る。【選択図】  図１
2016533982.tif 000002
【特許請求の範囲】
【請求項１】
液体容器、好ましくはボトル（５）、より好ましくはペットボトル上に装着するための、閉鎖キャップ（７）、好ましくはねじ式キャップであって、前記閉鎖キャップ（７）は、少なくとも、
−  好ましくは再閉鎖可能な注出開口部（９）と、
−  少なくとも１つの分注物、好ましくは少なくとも１つの錠剤（２）を受容するための受容要素（１）であって、ここにおいて、前記少なくとも１つの分注物（２）が液体（３７）と接触できるように前記受容要素（１）は前記液体（３７）が透過可能である受容要素（１）と、
−  前記少なくとも１つの分注物を受容容積（２０）内に導入するためのまたはこれを前記受容容積（２０）から取り出すための開口部（１２）と、を備え、
前記受容要素（１）が、前記閉鎖キャップ（７）の動作位置（８）において作動され得、前記開口部（１２）を通して、前記受容容積から前記分注物を変更するための装填位置へ、また前記受容容積内に入り分注位置への両方に移され得ることを特徴とする、閉鎖キャップ（７）。
【請求項２】
前記開口部（１２）が、前記閉鎖キャップ（７）の前記動作位置（８）において、前記受容要素（１）によって液密な様式で封止され得ることを特徴とする、請求項１に記載の閉鎖キャップ（７）。
【請求項３】
前記受容要素（１）の液密な領域が、前記受容要素の前記分注位置において、前記閉鎖キャップ（７）のジャケット表面の一部を形成することを特徴とする、請求項２に記載の閉鎖キャップ（７）。
【請求項４】
前記受容要素（１）が前記閉鎖キャップ（７）に対して、特に直線に沿って変位可能であることを特徴とする、請求項１から３の何れか一項に記載の閉鎖キャップ（７）。
【請求項５】
前記受容要素（１）が前記閉鎖キャップ（７）に対して回動可能であることを特徴とする、請求項１から４の何れか一項に記載の閉鎖キャップ（７）。
【請求項６】
前記受容要素（１）が、グリッドまたは格子の様式で好ましくは配置される貫通開口部（１５）を備えることを特徴とする、請求項１から５の何れか一項に記載の閉鎖キャップ（７）。
【請求項７】
前記受容要素（１）全体が、前記分注位置において、前記閉鎖キャップ（７）によって形成された容積内に配置されることを特徴とする、請求項１から６の何れか一項に記載の閉鎖キャップ（７）。
【請求項８】
前記受容要素（１）が、前記装填位置において、前記閉鎖キャップ（７）に固定される、好ましくはそこに着脱可能に固止されることを特徴とする、請求項１から７の何れか一項に記載の閉鎖キャップ（７）。
【請求項９】
前記受容要素（１）が底部表面（１６）とジャケット表面（１７）とを有し、貫通開口部（１５）が前記底部表面（１６）上に配置され、液体のための貫通開口部（１５）を有するさらなる要素（１３）が、前記受容要素（１）と前記閉鎖キャップ（７）の前記注出開口部（９）との間に配置されることを特徴とする、請求項１から８の何れか一項に記載の閉鎖キャップ（７）。
【請求項１０】
前記受容要素（１）の作動を容易にするために、前記ジャケット表面（１７）上に補助装置（１８）が配置されることを特徴とする、請求項９に記載の閉鎖キャップ（７）。
【請求項１１】
前記補助装置（１８）が前記ジャケット表面（１７）にくぼみおよび／または突出部（１９）を備えることを特徴とする、請求項１０に記載の閉鎖キャップ（７）。
【請求項１２】
前記受容要素（１）が、前記受容容積（２０）が前記ジャケット表面（１７）、頂部表面（２１）、および前記底部表面（１６）によって完全に取り囲まれるように、貫通開口部（１５）を有する前記頂部表面（２１）を備えることを特徴とする、請求項９から１１の何れか一項に記載の閉鎖キャップ（７）。
【請求項１３】
請求項１から１２の何れか一項に記載の閉鎖キャップ（７）の受容要素（１）内に受容するための、分注物、好ましくは錠剤（２）。
【請求項１４】
前記分注物（２）が、飲料を生成するための、ならびに／または、フレーバーおよび／もしくは栄養素および／もしくは栄養補助剤および／もしくは医薬化合物を放出するための、少なくとも１つの水溶性要素（２７）を備えることを特徴とする、請求項１３に記載の分注物（２）。
【請求項１５】
前記分注物（２）が、前記受容要素（１）が前記開口部（１２）を通して押されることを可能にする寸法を有することを特徴とする、請求項１３または１４に記載の分注物（２）。
【請求項１６】
前記分注物（２）がスポンジ、好ましくはプラスチック製のスポンジ（２５）を備えることを特徴とする、請求項１３から１５の一項に記載の分注物（２）。
【請求項１７】
前記分注物（２）が、前記分注物（２）を分注物形状（２５）に維持する、液体が透過可能なネット状布帛、特にガーゼ（２３）を備えることを特徴とする、請求項１３から１６の何れか一項に記載の分注物（２）。
【請求項１８】
前記ネット状布帛（２３）が、前記分注物の外側面（２６）上に配置されることを特徴とする、請求項１７に記載の分注物（２）。
【請求項１９】
前記少なくとも１つの水溶性要素が、表面（２９）が水溶性層（２８）によって形成され、内部（３０）がフレーバーおよび／または栄養素および／または栄養補助剤および／または医薬化合物を含むシロップ（３２）または茶などの物質で充填される、球体（２７）に関与することを特徴とする、請求項１４から１８の何れか一項に記載の分注物（２）。
【請求項２０】
同じ物質（３２）または異なる複数の物質（３２）を有するいくつかの球体（２７）が分注物容積（２４）内に配置され、特に前記１つの物質（３２）または前記複数の物質（３２）の連続的な分注を可能にするために、前記球体（２７）の前記水溶性層（２８）が様々な層厚さ（３１）を有することを特徴とする、請求項１９に記載の分注物（２）。
【請求項２１】
請求項１３から２０の一項に記載の少なくとも１つの分注物、好ましくは錠剤（２）を備える、請求項１から１２の何れか一項に記載の閉鎖キャップ（７）。
【請求項２２】
請求項１から１２の何れか一項に記載の閉鎖キャップ（７）の受容要素（１）における、分注物、好ましくは錠剤（２）の使用。
【発明の詳細な説明】
【技術分野】
【０００１】
本発明は、液体容器、好ましくはボトル、より好ましくはペットボトル上に装着するための、閉鎖キャップ、好ましくはねじ式キャップに関し、この閉鎖キャップは少なくとも、
−  好ましくは再閉鎖可能な注出開口部と、
−  少なくとも１つの分注物、好ましくは少なくとも１つの錠剤を受容するための受容要素であって、ここにおいて、少なくとも１つの分注物が液体と接触できるように受容要素は液体が透過可能である受容要素と、
−  前記少なくとも１つの分注物を受容容積内に導入するためのまたはこれを前記受容容積から取り出すための開口部と、を備える。
【０００２】
本発明は、本発明による閉鎖キャップで封止された液体容器内に位置付けられた液体と混合するための分注物、好ましくは錠剤にも関する。
【０００３】
本発明は最後に、少なくとも１つの本発明による閉鎖キャップと、少なくとも１つの本発明による分注物と、を含むシステムに関する。
【背景技術】
【０００４】
移動中またはスポーツ中の液体の摂取を可能とするために、飲料用ボトル、特に閉鎖キャップを有する飲料用ボトルが知られている。飲料用ボトルは通常、閉鎖キャップが上に螺着されるねじ山を備える。ねじ山は規格化され、前記飲料用ボトルの様々な規格化されたねじ山の数は少ない。これらのボトルは一方で、たとえばミネラルウォーターで事前充填され得、このミネラルウォーターは、フレーバーと、またはアイソトニック飲料と混合され得る。他方で、必要に応じて使用者によって混合された液体を受容するように指定されるボトルが関与させられ得る。この場合、果汁シロップの他に、粉末形態または錠剤形態の発泡性の粉末が利用可能である。
【０００５】
いずれの場合においても、飲料の使用の継続時間全体の間、すなわちその飲料の消費の開始から終了までの間、使用者がその特定の飲料混合物に固定されることは不利であり、このことは、まだボトル中に容れられている液体が既に選択されたフレーバーのみを備えているために、使用者が飲料の消費中にもはやフレーバーを変更できないことを意味している。
【０００６】
しかしながら、特定のフレーバーに対する欲求が、飲料の消費の開始と終了との間に変化する可能性があるというだけではない。使用者が、たとえば非アイソトニック飲料に決定していて、自身がスポーツを練習してきた特定の時間期間の後で、アイソトニック飲料を摂ることを望む場合、このことも、液体がボトル中にまだ存在していてはもはや可能ではない。
【０００７】
発泡性の錠剤によって飲料を調合する場合、その発泡性の錠剤を溶解させるために化学物質の使用が必要とされ、このことは、この場合、飲料を調合するために完全に天然物質を使用することが可能ではないことを意味し、このことは不利であると見なされ得る。
【０００８】
発泡性の粉末およびさらに発泡性の錠剤に関して、その粉末または錠剤が完全に溶解されるとは限らず、粉末または錠剤の一部分が使用者の口に達することがさらに起こり得、このことは非常に不快なものとして知覚される。
【０００９】
不完全な溶解は、最適でない用量、特に発泡性の粉末または錠剤の過剰な濃度によっても引き起こされ得る。粉末または錠剤を液体（通常は水）と混合する際、特定的に存在している液体の量が考慮される必要があるため、適正な用量を維持することは通常、常に容易であるとは限らない。
【００１０】
これらの欠点は、ＵＳ２０１０／００１２１９３Ａ１により少なくとも部分的に修正され得る。これは、３つの部品、すなわち錠剤容器と容器蓋と閉鎖キャップ閉鎖具と、で形成される閉鎖キャップを有する液体容器について記述している。容器蓋は、錠剤容器内に錠剤を挿入するために、螺脱され、その後再び螺着されねばならない。容器蓋が落とされるまたは失われる可能性のあることは不利である。
【先行技術文献】
【特許文献】
【００１１】
【特許文献１】ＵＳ２０１０／００１２１９３Ａ１
【発明の概要】
【００１２】
したがって、上述の欠点を回避することによって、フレーバーおよび／または栄養素および／または栄養補助剤および／または医薬化合物を、液体容器内に受容され得る液体内に混合することを可能にする、液体容器用の閉鎖キャップを提供することが本発明の目的である。特に、フレーバーおよび／または栄養素および／または栄養補助剤の簡単な交換を可能とする簡単な取り扱いが保証されることになる。さらに、用量の問題、特に液体中のフレーバーおよび／または栄養素および／または栄養補助剤の高過ぎる濃度が防止されることになる。混合に関して天然物質が使用され得るように、この場合、化学物質の回避の可能性がさらに提供されることになる。
【００１３】
本発明は、液体容器、好ましくはボトル、より好ましくはペットボトル上に装着するための、閉鎖キャップ、好ましくはねじ式キャップによって達成され、この閉鎖キャップは少なくとも、
−  好ましくは再閉鎖可能な注出開口部と、
−  少なくとも１つの分注物、好ましくは少なくとも１つの錠剤を受容するための受容要素であって、ここにおいて、少なくとも１つの分注物が液体と接触できるように受容要素は液体が透過可能である受容要素と、
−  前記少なくとも１つの分注物を受容容積内に導入するためのまたはこれを前記受容容積から取り出すための開口部と、を備える。
【００１４】
受容要素が、閉鎖キャップの動作位置において作動され得、開口部を通して、受容容積から分注物を変更するための装填位置にとさらに受容容積内での分注位置にの両方に移され得る、ということが提供される。
【００１５】
分注物はこうして、閉鎖キャップを液体容器から分離する必要なく交換され得る。受容要素はこうして、閉鎖キャップ上で横方向に、たとえば閉鎖キャップの長手軸に対して垂直な方向に作動され得る。開口部も、閉鎖キャップ上で横方向に位置付けられる。装填位置では、受容要素上にもしくはその中に位置付けられた分注物が取り出され得る、および／または、分注物が空の受容要素上にもしくはその中に置かれ得るように、開口部は分注物を導入するように開いており、受容要素は受容容積から少なくとも部分的に移動されている（あるいは受容要素は完全に交換され得る）。分注位置では、分注物を導入するための開口部は閉鎖されている。液体容器からそこに取り付けられた閉鎖キャップ内へと流れる液体はその場合、閉鎖キャップから注出開口部を通してまたはそこに取り付けられたマウスピースを通してのみ、外に出ることができる。分注物を導入するかまたは取り出すための開口部はその場合、液密な様式でも閉鎖されている。
【００１６】
液体容器は、本発明による閉鎖キャップで封止され好ましくはペットボトルとして形成されるもので、動作位置において閉鎖キャップによって封止される従来の注出口またはボトル開口部を備える。閉鎖キャップは好ましくは、あらゆる規格化された水ボトルに適合するねじ式キャップに関与するか、または、少ない数の様々に規格化された型のボトルねじ山を、少ない数の様々な閉鎖キャップとともに使用することが可能である。閉鎖キャップは通常、閉鎖キャップの注出開口部を封止するマウスピースを設けられており、好ましくはこのマウスピースを変位させることによって、閉鎖位置または閉鎖された位置から、放出位置または開放位置へと移行され得る。閉鎖された位置では、液体はマウスピースを介して閉鎖キャップを通過することができない。動作位置では、液体容器がスポーツ活動中に使用者によって移送または携行されるときであっても、本発明による閉鎖キャップを用いて、液体容器内の液体の確実な貯蔵が可能とされる。放出位置では、液体は閉鎖キャップを通過することができ、使用者はしたがって飲むことができる。
【００１７】
受容要素は、分注位置において、受容容積内に配置され解放可能に固定され、この受容容積は、受容要素の壁に加え、閉鎖キャップの内壁によって境界付けられる。この配置構成は、主として液体容器が使用者の口に案内される飲む過程において、液体が受容要素を通って流れることを可能にする。受容要素内に少なくとも１つの分注物が配置される場合、液体は、飲んでいる間にこの分注物の周りを流れ、物質、特にフレーバーおよび／または栄養素および／または栄養補助剤および／または医薬化合物をこの液体に供給することができる、すなわち、液体との混合物が、使用者が実際にその混合物を飲む直前に生じる。液体中の所望される物質の高過ぎる濃度が、こうして主として防止され得る。
【００１８】
この点に関して、飲む過程の後で液体容器（ボトル）を移動させたときに、液体の特定の部分が受容要素から液体容器内へと全体に流れて戻ることになるという注意が払われねばならない。上述の物質の特定の部分は、液体容器内に位置付けられた残っている液体へと移行される可能性があり、このことは、分注物の構成またはその分注特性において考慮される必要がある。
【００１９】
分注物が受容容積から脱落することを防止するために、受容容積は（受容容積の特定の形状に関係なく）、好ましくは全ての側において取り囲まれる。この場合液体に対する透過性が提供され、このことは、受容容積の全ての側における取り囲みが依然として存在するように、たとえば小さい開口部によって実現され得る。全ての側における受容容積の取り囲みは、受容要素自体によってまたは受容要素が閉鎖キャップの別の部品と協働することによって、提供され得る。
【００２０】
閉鎖キャップの費用効果の高い製造を達成するため、受容要素および／または閉鎖キャップの他の部品は、プラスチックで製作され得る。
【００２１】
受容要素の液体に対する透過性は、受容要素が格子状のまたはグリッド状の様式で好ましくは配置される貫通開口部を備えるような方法で、本発明による液体容器の好ましい実施形態において実現される。こうして、分注物または分注物の一部が飲んだ後で液体容器に達することが、さらに高い信頼性をもって防止される。
【００２２】
先立って飲む前の液体との分注物の起こり得る接触は、閉鎖キャップにおける受容要素の配置構成に主に依存する。閉鎖キャップによって形成される容積内に受容要素が完全に位置付けられているときの垂直に立っている液体容器の場合、接触は防止され得る。これは、一方で閉鎖キャップによって、および他方で閉鎖キャップの縁部によってその一部上に境界付けられる想像された表面積によって境界付けられる容積を意味する。前記想像された表面積は、液体容器との閉鎖キャップの接続を可能にするために、特に閉鎖キャップが前記容器上に螺着されることを可能にするために、実際には材料を伴わない。このことは、この場合、閉鎖キャップの接触は、飲む過程において使用者によって行われるように、ボトルを傾けている間にのみ生じることを意味する。したがってこのことに応じて、本発明による液体容器の好ましい実施形態では、受容要素全体が、分注位置において、閉鎖キャップによって形成された容積内に配置される、ということが提供される。
【００２３】
装填位置において受容要素が閉鎖キャップから脱落し失われるかまたは汚されることのないことを保証するために、本発明による液体容器のさらなる好ましい実施形態では、受容要素が閉鎖キャップに固止される、好ましくはこれに解放可能に固定される、ということが提供される。受容要素が閉鎖キャップから引き出しと同様に引き出され得る場合、通常の使用において完全に抜き出されることを防止し、たとえば受容要素を洗浄する目的で特定の方策によって克服され得る固着手段が設けられ得る。本発明の１つの実施形態は、（受容容積内への少なくとも１つの分注物の導入または前記受容容積からの前記分注物の取り出しを可能にするために）閉鎖キャップの動作位置において、開口部が受容要素によって液密な様式で閉鎖され得る、ということを提供する。この場合、この開口部のための別個の閉鎖具は必要とされない。受容要素自体が、開口部のための閉鎖具として使用される。特に、受容要素の液密な領域は受容要素の分注位置において、閉鎖キャップのジャケット表面の一部分を形成し得る、すなわち、閉鎖キャップの外から見える表面および受容要素はしたがって、互いの中に切れ目なく収束する。結果として、受容要素は閉鎖キャップとともに共通の外側表面を形成し、汚れが蓄積し得る突出部またはくぼみは存在しない。
【００２４】
受容要素が分注位置に移された後では、閉鎖キャップに固定されたフラップまたは摺動部で開口部を閉鎖することも可能となることは明らかである。
【００２５】
受容要素の作動は、受容要素が閉鎖キャップに対して、特に直線に沿って変位可能となるような方法で有利に構成され得る。受容要素はしたがって、閉鎖キャップから引き出しと同様に引き出され得るか、または、受容要素は前記キャップ内へと押し込まれ得る。変位の方向は、特に閉鎖キャップの長手軸（＝実質的に回転対称な閉鎖キャップの場合の、もしくは閉鎖キャップが上に固止されるボトルの回転軸と同一の、回転軸、または、液体が閉鎖キャップ内に入る方向）に対して垂直とすることができる。閉鎖キャップの内側面上に、くぼみ（溝）または膨出部などの、並進移動のためのそれぞれの案内部が設けられ得る。
【００２６】
別法として、受容要素は、閉鎖キャップに対して、特に閉鎖キャップの長手軸と平行な軸を中心に回動可能とすることができる。
【００２７】
閉鎖キャップ内への挿入またはそこからの抜き出し中の受容要素の並進および回転運動の組合せも、考慮され得る。
【００２８】
受容要素の特に簡単で便利のよい充填は、受容要素が、外側から閉鎖キャップの対応する開口部内に押し込まれ得、さらにこの対応する開口部から再び引き出され得る引き出しのように形成されるという形で実現され得る。このことは、受容要素を充填するために、これが対応する開口部から引き出され、少なくとも１つの分注物が受容要素内に置かれ、次いで受容要素が対応する開口部内に再び押し戻される、ということを意味する。したがって、底部表面とジャケット表面とを備える（しかし受容要素を封止する頂部表面は備えない）１つの受容要素が好ましくは設けられ、この場合、底部表面上に貫通開口部が配置される。液体のための貫通開口部を有するさらなる要素が、分注物またはその一部がマウスピースに達し得ないように、受容要素と閉鎖キャップの注出開口部との間に配置される。受容要素の作動（抜き出しおよび押し込み、ならびに／または回動）を容易にするために、受容要素のジャケット表面上にそれぞれの補助装置がさらに設けられ得る。
【００２９】
容器のための簡単でしたがって費用効果の高い製造方法を達成するために、この場合、さらなる好ましい実施形態において、補助装置がジャケット表面にくぼみおよび／または突出部を備える、ということが提供される。くぼみまたは突出部は、使用者による容器の快適な把持を可能にする。
【００３０】
受容容積がジャケット表面、頂部表面、および底部表面によって完全に囲まれるように、受容要素が貫通開口部を有する頂部表面を備える場合、分注物が中に位置付けられている受容要素が製造され１つのユニットとして販売され得る。ユニットが、使用後に受容要素と分注物とから成る新しいユニットによって置き換えられる、使い捨ての製品となるように、ジャケット表面、頂部表面、および底部表面は、取り外し不可能な様式で互いに接続され得る。
【００３１】
本発明による閉鎖キャップを使用するときの簡単な取り扱いと最適用量の可能性とを保証するために、本発明による閉鎖キャップの受容容積内に受容するための、好ましくは錠剤の形態の分注物が提供される。
【００３２】
これに応じて、本発明により、本発明による閉鎖キャップの受容要素における、分注物、好ましくは錠剤の使用が提供される。
【００３３】
液体と接触するときに飲料の生成を可能にするか、または、フレーバーおよび／もしくは栄養素および／もしくは栄養補助剤および／もしくは医薬化合物を放出しこうしてこれらを液体内に混合するために、本発明による分注物の好ましい実施形態によれば、分注物が、飲料を生成するための、ならびに／または、フレーバーおよび／もしくは栄養素および／もしくは栄養補助剤および／もしくは医薬化合物を放出するための、少なくとも１つの水溶性要素を備え得る、ということが提供される。栄養素は、炭水化物、ミネラル、およびビタミンを備える。いくつかの炭水化物、ミネラル、およびビタミンが放出される場合、この結果アイソトニック飲料の生成が可能となる。
【００３４】
分注物が受容要素の受容容積内に収容され得ることを保証するために、分注物は、受容要素の受容容積よりも大きくない分注物容積を備える。特に、分注物は、受容要素が開口部を通して押されることを可能にする寸法を有することになる。言い換えれば、開口部を通過することで受容要素が装填位置または分注位置へと移され得る閉鎖キャップの開口部の断面よりも小さい、分注物の最大断面が存在しなければならない。
【００３５】
水溶性要素が閉鎖キャップの通路開口部を通って広がり得ないことを保証するのに追加的に寄与する、水溶性要素の空間的に安定した配置構成を保証するために、これらは、たとえば分注物容積を少なくとも部分的に充填するスポンジ内に配置され得る。このことに応じて、本発明による分注物の好ましい実施形態では、分注物が、スポンジ、好ましいプラスチック製のスポンジを備える、ということが提供される。前記プラスチック製のスポンジは、液体が水溶性要素に容易に達し得るような方法で特に好ましくは形成され得、このことは、たとえば粗く織られた繊維で製作されるスポンジ布帛によって達成され得る。
【００３６】
取り扱いをさらに改善するために、本発明による分注物の好ましい実施形態では、分注物が、受容要素の受容容積形状に好ましくは対応する分注物形状に分注物を保持する、液体が透過可能なネット状布帛、特にガーゼを備える、ということが提供される。こうして安定化された分注物形状は特に、水溶性要素が既に完全にまたは少なくとも部分的に溶解されてしまってから、飲む過程の後の分注物の簡単で便利のよい変更を可能にする。分注物形状が受容要素の受容容積形状に対応しているこの実施形態の変形形態は、受容要素またはその受容容積内で、分注物の特に安定した配置構成をさらに保証する。
【００３７】
同時に簡単な製造可能性と組み合わされた、分注物形状の特に良好な安定化が、ネット状布帛が分注物の外側面に配置されるという形で達成され得る。
【００３８】
飲料の調合に関して化学物質の使用を回避し天然物質のみを使用するために、本発明による分注物の好ましい実施形態では、少なくとも１つの水溶性要素が、分注物容積内に配置された、表面が水溶性層によって形成され、内部がフレーバーおよび／または栄養素および／または栄養補助剤および／または医薬化合物を含むシロップまたは茶などの物質で充填される、球体に関与する、ということが提供される。水溶性層はこの場合、水溶性のアイシング、特に砂糖のアイシングから形成され、このことは化学物質の回避に寄与する。
【００３９】
物質、特にフレーバーおよび／または栄養素および／または栄養補助剤および／または医薬化合物の送達の時間進行は、様々なアイシング層厚さを有するいくつかの球体によって実現され得る。最も薄いアイシング層厚さを有する球体は、最初に物質を放出し、一方、より厚いアイシング層厚さを有する球体は、まだ何も物質を放出しない。より薄いアイシング層厚さを最初に有する球体の物質が消費されてしまった、より後の時点で初めて、より厚いアイシング層厚さを最初に有する球体が、それらの中に貯蔵された物質を放出することになる。
【００４０】
これらは、液体内でこれらの物質の一時的に一定の濃度が達成されるように、たとえば以前と同じ物質に関与し得る。最初は果物のフレーバーを有する飲料が提供され、それより後の時点でアイソトニック飲料が提供されるように、球体内に様々な物質を提供することも可能である。このことは、運動する人が、ただ１つの単一の液体容器を携行することによって、時間にわたって様々な飲料を飲むことを可能にし、この場合はアイソトニック飲料も含まれている。
【００４１】
このことが、本発明による分注物の特に好ましい実施形態において、同じ物質または異なる複数の物質を有するいくつかの球体が、分注物容積内に配置され、特に１つの物質または複数の物質の連続的な分注を可能にするために、球体の水溶性層が様々な層厚さを有する、ということが提供される理由である。
【００４２】
最後に、本発明による閉鎖キャップおよび本発明による分注物は、飲料の簡単な生成か、またはフレーバーおよび／もしくは栄養素および／もしくは栄養補助剤および／もしくは医薬化合物の液体への添加を可能にするシステムとして見なされるものである。
【００４３】
以下で本発明が、実施形態を参照してより詳細に説明される。図面は例示的なものであり、進歩性を備えた概念を説明するために使用されるが、これを確定的に限定または例示するものではない。
【図面の簡単な説明】
【００４４】
【図１】本発明による閉鎖キャップを有するボトルの軸測投影図。
【図２】図１のボトルの部分的に露出された区域の軸測投影図。
【図３】図１の受容要素の軸測投影図。
【図４】閉鎖キャップのさらなる実施形態の軸測投影図。
【図５】図４の閉鎖キャップの部分的に露出された区域の軸測投影図。
【図６】図４の受容要素の軸測投影図。
【図７】半円形のジャケット表面を有する受容要素を有する閉鎖キャップの軸測投影図。
【図８】側方からの、図７の閉鎖キャップの軸測投影図。
【図９】頂部表面を有する、図７の受容要素の第１の変形形態の軸測投影図。
【図１０】頂部表面を有さない、図７の受容要素の第２の変形形態の軸測投影図。
【図１１】狭い受容要素を有する閉鎖キャップの軸測投影図。
【図１２】側方からの、図１１の閉鎖キャップの軸測投影図。
【図１３】頂部表面を有する、図１１の受容要素の軸測投影図。
【図１４】受容要素の高さにおける、図１１の閉鎖キャップを通る水平断面図。
【図１５】分注位置における、回動可能な受容要素を有する閉鎖キャップの軸測投影図。
【図１６】装填位置における、回動可能な受容要素を有する図１５の閉鎖キャップの軸測投影図。
【図１７】頂部表面を有する図６の受容要素の第３の変形形態の軸測投影図。
【図１８】本発明による受容要素内に収容され得る、概略的に示された錠剤の部分的に露出された区域の軸測投影図。
【図１９】シロップで充填される図７の錠剤の球体を通る断面図。
【発明を実施するための形態】
【００４５】
図１は、閉鎖キャップ７を有するボトル５の形態の液体容器を示す。閉鎖キャップ７が動作位置８において示され、ここにおいて閉鎖キャップ７は、ボトル５の注出開口部９を封止する。閉鎖キャップ７は、ねじ山３４（図２を参照）によってボトル５上に螺着される。刻み目の形態（図４を参照）を有する表面構造３５（図示されない）は、閉鎖キャップ７をボトル５に固止する際に使用者を支援し得る。
【００４６】
閉鎖キャップ７には、図１において閉鎖位置１１で示される、マウスピース３３が設けられる。閉鎖位置１１では、閉鎖キャップ７は、ボトル５内に収容され液体レベル３８を有する液体３７が、透過不可能である。マウスピース３３は、長手軸１０（図２を参照）に沿ってマウスピース３３を変位させることによって、閉鎖位置１１から放出位置（図示されない）へと移され得る。放出位置では、閉鎖キャップ７は、使用者がボトル５から飲むことができるように、液体３７が透過可能である。
【００４７】
ボトル５は、動作位置８において閉鎖キャップ７とともに連携して容積４を画定する、内部壁６を備える。受容要素１は、本発明によれば前記容積４内に配置され、この受容要素は、閉鎖キャップ７内へと押し込まれ得る。図２は、そのような実施形態を、閉鎖キャップ７の露出された区域の軸測投影図に基づいて示す。図３は、閉鎖キャップ７から引き出される関連付けられた受容要素１を示す。受容要素１は、ほぼ円筒形の受容容積形状を有する受容容積２０を備える。受容要素１は、この場合は概略的にのみ示され、以下でより詳細に説明される。
【００４８】
受容容積２０は、少なくとも１つの分注物、好ましくは少なくとも１つの錠剤２（図１８を参照）の収容を可能にし、これはボトル５内に収容された液体３７と、特に飲む過程において接触することができる。飲料がこうして生成され得るか、またはフレーバーおよび／もしくは栄養素および／もしくは栄養補助剤および／もしくは医薬化合物などの物質が液体に供給され得る。
【００４９】
示された場合では、受容要素１は、底部表面１６と、この底部表面１６を囲むジャケット表面１７とから成る。底部表面１６は、たとえば格子から形成され得る、貫通開口部１５を備える。受容要素１は、頂部表面を何ら備えない、すなわち、受容要素１は、錠剤２が上方から簡単に挿入され得るように、上向きに開いている。錠剤２またはその一部が受容容積２０からマウスピース３３に向かって上向きの方向に離れ得ないことを保証するために、液体のための貫通開口部１５を有するさらなる要素１３が、閉鎖キャップ７内において受容要素１（−閉鎖された−装填位置における）と注出開口部９（またはマウスピース３３）との間に配置される。さらなる要素１３はこの場合、受容容積２０が全ての側において取り囲まれて受容要素１内の自由容積に対応するように、受容要素１の直上に配置される。底部要素１６およびさらなる要素１３は、この場合平坦であり、互いに対して平行に配置される。
【００５０】
液体３７は、少なくとも飲む過程において、底部表面１６および要素１３の貫通開口部１５を通って受容容積２０内へと移り、こうして受容容積２０内に位置付けられた錠剤２と接触することができる。図２および図３に示されるように、貫通開口部１５は規則的な構成で配置され、こうしてグリッドまたは格子のパターンを生成する。貫通開口部１５は、飲料の生成か、または錠剤２から液体３７への物質、特にフレーバーおよび／もしくは栄養素および／もしくは栄養補助剤および／もしくは医薬化合物の分注を、可能にする。
【００５１】
受容要素１がその分注位置を精確にとることができるように、閉鎖キャップ７のジャケットの内側面上に、案内デバイス、すなわちこの場合溝１４が設けられる。受容要素１の作動は、補助装置１８、すなわち突出部１９によって支持される。
【００５２】
図４は、ねじ山３４によって、あらゆる規格化された水ボトル、特にペットボトル上に螺着され得る、閉鎖キャップ７の代替の実施形態を示す。使用者が閉鎖キャップ７を螺戻しおよび螺脱するのを助けるために、閉鎖キャップ７は、この場合縦溝として形成される、図４において示される表面構造を有する。さらに、図４の閉鎖キャップ７は、取り外し可能であるかまたは脇に折り畳まれ得るカバー３を備えることができ、これにより、図５において示されるように、マウスピース３３が覆われ得る。
【００５３】
図５は、図４の閉鎖キャップ７の露出された区域の軸測投影図を示す。関連付けられた受容要素１は引き出されて、図６において示されている。
【００５４】
図１から図３において示される変形形態とは対照的に、図４から図６の閉鎖キャップ７は、長手軸１０に沿ってより大きい延長を示す。このことは、自体の寸法および形状に関しては図６において示される受容要素１またはその受容容積２０に対応して形成される、開口部１２のための、より大きな空間を作り出す。
【００５５】
いずれの実施形態でも、受容要素１は、閉鎖キャップ７によってのみ形成される容積内に完全に位置付けられる。これは、一方では閉鎖キャップ７によって、他方では閉鎖キャップ７の縁部４０によって自体の一部上に境界を設けられる想像上の表面によって境界を設けられる容積を意味する。前記想像上の表面は、好ましくはねじ山３４によって螺着される接続による、ボトル５との閉鎖キャップ７の接続を可能にするために（図１を参照）、実際には材料を伴わない。
【００５６】
図６の受容要素１は、ほぼ円筒形の様式で形成され、ここでも底部表面１６とジャケット表面１７とを備える。受容要素１はこうして、閉鎖キャップ７が動作位置にあるときでさえも、閉鎖キャップ７の対応する開口部１２内へと引き出しのように押し込まれ得るか、または前記開口部１２から引き出され得る。閉鎖キャップ７が動作位置８にある場合、受容要素１は、対応する動作位置１２を通って閉鎖キャップ７内へとこの様式で挿入されるか、またはそこから取り出される。したがって、使用者は、受容要素１に錠剤２を充填するために、ボトル５から閉鎖キャップ７を螺戻しする必要がない。底部表面１６は、受容要素１が閉鎖キャップ７の対応する開口部１２内に押し込まれるとき、マウスピース３３から離れる方向に面する。受容要素１は、この場合は概略的にのみ示され、以下でより詳細に説明される。
【００５７】
受容容積２０を終端する、貫通開口部１５を有する（円形の）要素１３が、挿入された受容要素１の直上に位置付けられる。
【００５８】
図６における受容要素１は、受容容積２０が受容要素１自体によって全ての側において取り囲まれるように、たとえば上向きに折り畳まれ得、貫通開口部１５を設けられる、取り外し可能な頂部表面も備え得る。そうすると要素１３は、この場合省略され得る。
【００５９】
図４から図６による実施形態のための受容要素１は、受容要素１自体によって、すなわち液体が透過不可能である円筒形のジャケット表面１７によっておよび液体が透過可能である底部表面１６によっておよび頂部表面２１によって、受容容積２０が完全に囲まれている、図１７におけるもののようにも構成され得る。閉鎖キャップ７内の要素１３は、頂部表面２１がある結果として、ここでも省略され得る。分注物２は、製造側で閉鎖される前に図１７による受容要素１内に挿入され得、受容要素１は、解除不可能な様式で閉鎖され得る。分注物２が消費されるかまたは別の分注物が望まれるときは、別の（たとえば消費されていない）分注物２を有する別の分注物１が挿入される。
【００６０】
開口部１２内への受容要素１の便利のよい挿入または開口部１２からのその取り出しを可能とするために、図６に示される受容要素は、使用者が表面で受容要素１に対して作用を及ぼし得るジャケット表面１７上に、突出部１９の形態の補助装置１８を備える。補助装置１８が、さらなる要素、たとえばジャケット表面１７にくぼみ（図示されない）をさらに備え得ることが理解される。
【００６１】
受容要素１が挿入されるときに閉鎖キャップ７の密封性を危うくするのを回避するために、ジャケット表面１７には貫通開口部１５は設けられず、底部表面１６にのみ貫通開口部１５が設けられる。
【００６２】
図７はやはり、図４の閉鎖キャップ７と同じ型の閉鎖キャップ７を示す。閉鎖キャップ７は、受容要素１の領域において円筒形に形成される。しかしながら図７では、この場合図８において示されるような円筒形のジャケットの一部である自体のジャケット表面１７によって、分注位置において開口部１２を液密な様式で封止する、受容要素１が提供される。ジャケット表面１７はしたがって、閉鎖キャップ７のジャケット表面３６の一部を形成する。
【００６３】
図７に適合する受容要素１は、図９におけるように、半円筒形のジャケット表面１７と、液体が透過可能な底部表面１６と、液体が透過可能な頂部表面２１とから成ることができ、この場合、底部表面１６および頂部表面２１は、受容要素１のジャケット表面１７と隣接し、受容要素１が閉鎖キャップ７内に完全に挿入される分注位置では、ジャケット表面３６と隣接する。結果として、受容容積２０内に位置付けられる分注物（錠剤）２は、中に完全に閉じ込められる。分注物２全体、またはその一部は、この場合カバー３によって覆われているマウスピース３３には、達し得ない。
【００６４】
図９の代替として、図７の受容要素１は、図１０において示されるように、頂部表面２１なしでも形成され得る。ただしこの場合、図５において示されるように、閉鎖キャップ７内において受容要素１と注出開口部９またはマウスピース３３との間に、貫通開口部を有するさらなる要素１３が配置されねばならない。
【００６５】
図１１および図１２は、図４および図７の閉鎖キャップ７と同じ型の閉鎖キャップ７を示し、ここでは、閉鎖キャップ７の全幅を占めない受容要素１（図１３を参照）が示されている。受容要素１はこの場合、実質的に矩形の形状を有し、（この場合狭い側面である）ジャケット表面１７の一部が、閉鎖キャップのジャケット表面３６に開口部１２の液密な終端部を形成する。ジャケット表面１７の残りの部分は、受容要素１の分注位置においてジャケット表面３６内に位置付けられる。
【００６６】
受容要素１は、液体が透過可能な平坦な頂部表面２１と、底部表面１６とを備える。液体が受容要素１を過ぎて流れ得ないことを保証するために、閉鎖キャップ７の内部における受容要素１の高さが延在する領域内に、障壁（邪魔板）３９が設けられ、この障壁は、受容要素１（分注位置における）と閉鎖キャップ７のジャケット表面３６との間で閉鎖キャップ７の断面を閉鎖する（図１４を参照）。案内部（膨出部、溝）が、障壁（邪魔板）３９に、および／または閉鎖キャップ７の内側面上のさらなる場所において取り付けられ得、これらの案内部は、受容要素１上のそれぞれの案内部と相互作用し、受容要素１はこれらの案内部に沿って閉鎖キャップ７内へと押し込まれ得るかまたはその中から抜き出され得る。
【００６７】
案内部は一般に、変位可能な受容要素１を有する全ての実施形態に関して、受容要素１上におよび／または閉鎖キャップ７の内側面上に設けられ得る。
【００６８】
図１３における受容要素１は、分注物２が変更され得るように、上向きに折り畳み可能なカバー表面２１を備え得る。受容容積１２に到達可能でなくしたがって分注物２が取り出し可能でなく（底部表面１６および頂部表面２１がジャケット表面１７に解放不可能に接続されている）、別の分注物２を挿入するために受容要素１全体が交換されねばならないことになる、使い捨ての製品として、受容要素１を製造することも可能であろう。
【００６９】
図１３における受容要素１は、頂部表面２１なしで形成され得、受容容積２０はその場合、図２と同様のさらなる要素１３で封止されねばならないことになる。
【００７０】
図１５および図１６はやはり、図４、図７、または図１１の閉鎖キャップ７と同じ型の閉鎖キャップ７を示す。受容要素１はここでは、ヒンジ４１によって閉鎖キャップ７に回動可能に固止され、このヒンジはこの場合、閉鎖キャップ７の長手軸１０と平行に配置される。ヒンジ４１は、閉鎖キャップ７上の垂直方向のウェブ（web）に固止され得、このウェブは、ジャケット表面３６の外側に配置される。受容要素１は、突出部１９によって作動され得る、すなわち、受容要素１は、水平方向に展開または回動され得る。
【００７１】
受容要素１はここでは、そのジャケット表面１７が受容要素１を完全に囲むように構成され得（すなわち受容要素１はこの場合、円筒ジャケットの形状を有する）、分注位置（図１５）において、ジャケット表面１７は、閉鎖キャップ７のジャケット表面３６をもって、頂部および底部において液密な様式で終端する。閉鎖キャップの開口部１２はこの場合、円筒ジャケットの様式の形状とされることになり、閉鎖キャップ７の動作位置８において、受容要素１のジャケット１７全体が、開口部１２を液密な様式で封止することになる。
【００７２】
受容要素１自体は、頂部表面２１および底部表面１６によって、ここでも受容容積２０を囲むことができる。その場合、受容要素１に予め製造側で分注物２が装備され、ジャケット表面１７、頂部表面２１、および底部表面１６が、解除不可能な様式で互いに接続されることも考慮され得る。受容要素１はその場合、使い捨ての製品となる。受容要素はその場合、分注物２を変更するためにヒンジ４１から係脱されねばならないことになり、分注物２が中に位置付けられた新しい受容要素１が、ヒンジ内に装着されねばならないことになる。
【００７３】
受容要素１は、頂部表面２１なしでも形成され得る。ただしこの場合、図２と同様に、受容要素１と注出開口部９との間に、やはりさらなる要素１３を配置する必要がある。
【００７４】
受容要素１（および閉鎖キャップ７のジャケット３６）は、図９および図１０において示されるようにも構成され得る。図９の場合には、ヒンジ４１は、ジャケット表面１７の垂直方向の端部に対して作用することになる。分注物２は、ジャケット表面１７が存在しないところで、装填位置において底部表面１６と頂部表面２１との間に挿入され得る。図１０の場合、分注物２は、頂部表面２１がなくなっている結果として、上方から底部表面１６上に便利よく置かれ得る。閉鎖キャップ７内のさらなる要素１３はその場合、受容容積２０を頂部において終端することになる。ジャケット表面１７は、図９による実施形態とさらに図１０による実施形態の両方において、開口部１２を液密な様式で封止することになる。
【００７５】
図４から図１６の受容要素が、閉鎖キャップおよび受容要素のそれぞれの調整の下で他の型の閉鎖具に関しても使用され得ることも、明らかである。図１５および図１６において示されるような閉鎖キャップから外に回動され得る受容要素１、または図１３において示されるような比較的狭い受容要素１は、たとえば図１の閉鎖キャップに関しても使用され得る。
【００７６】
一般に、受容要素の全ての実施形態は、これらが回動可能であるかまたは変位可能であるかに関係なく、これらが分注位置において閉鎖キャップ７のジャケット表面３６のどのような部分も形成しないような方法でも、構成され得る。この目的のために、これらは、長手軸に対して垂直により小さくなるような寸法とされねばならないことになる。この場合、図１６における開口部１２は、たとえば（図８におけるように）閉鎖要素７のジャケット表面３６によって、部分的に封止されることになる。残っている開口部１２は、フラップの紛失を防止するために閉鎖キャップ７の外側面に連結され得るフラップ（摺動部、等）によって、液密な様式で封止され得る。フラップは、閉鎖要素のジャケット表面３６の一部を形成し得る。
【００７７】
開口部１２が受容要素１または受容要素１の一部によって（たとえばジャケット表面１７の一部によって）液密な様式で封止される全ての実施形態において、受容要素１が閉鎖キャップ７内に押し込まれるとき、受容要素１（の一部）上に、閉鎖キャップ７をもって終端する閉鎖具が設けられる。この閉鎖具はその場合、閉鎖キャップ７と両端部において重なってその中にラッチングすることができる。開口部１２が上記のように別個のフラップによって封止されるとき、閉鎖具の同じ原理が適用され得る。
【００７８】
一方のフラップまたは受容要素１と他方の閉鎖キャップ７またはそのジャケット表面３６との間で密封性を生み出すために、追加の封止が設けられ得る。
【００７９】
図１８は、本発明による受容要素１内に配置され得る概略的に示された錠剤２の、部分的に露出された区域の軸測投影図を示す。図１８において示される錠剤２の実施形態の場合、これは円筒形形状を有する。この形状は、図６において示される受容要素１の実施形態の変形形態に属する。図１８の錠剤２を図３の受容要素１内に配置することも考慮され得ることは、明らかである。他方で、錠剤２の形状は基本的に、受容容積２０に対応する必要はない。
【００８０】
いずれの場合にも満たされる必要のある１つの条件は、錠剤２の分注物容積２４が受容容積２０よりも大きくてはならないということである。
【００８１】
錠剤２を永久的に分注物形状２２に保つために、錠剤２は、分注物の外側面２６上に配置されるガーゼ２３を備える。
【００８２】
図１８は、分注物２４がプラスチック製のスポンジ２５によって部分的に充填されていることをさらに示す。分注物容積２４内には、球体２７も配置される。液体３７は、プラスチック製のスポンジ２５を通って球体２７へと進むことができる。ガーゼ２３であるネット状布帛も、液体３７が透過可能である。
【００８３】
球体２７は、液体３７への混合が生じ得るように、飲料を生成するか、またはフレーバーおよび／もしくは栄養素および／もしくは栄養補助剤および／もしくは医薬化合物を放出するための、水溶性要素として働く。この目的のために、球体２７は、図１９による断面図に従って構成される。このことは、各球体２７が、好ましくは砂糖で製作される水溶性のアイシング層２８によって形成される、表面２９を有することを意味する。アイシング層２８は、球体の内部３０を画定し、特定のアイシング層厚さ３１を有する。液体３７に添加されることになる物質は、球体の内部３０内に配置され、特にフレーバーおよび／または栄養素および／または栄養補助剤および／または医薬化合物である。図１９の実施形態では、球体の内部３０は、シロップ３２で充填される。
【００８４】
シロップ３２の放出、または液体３７とのその混合／液体３７へのその添加は、アイシング層厚さ３１を有するアイシング層２８が溶解されてしまったときにのみ発生する。
【００８５】
アイシング層２８の溶解に様々な時間の長さがかかるように、アイシング層厚さ３１には、様々な球体２７において様々な厚さが提供され得る。シロップ３２の混合の時間進行は、これに応じて構成され得る。さらに、様々な球体２７が、それらのそれぞれの球体の内部３０内に、様々な物質を含み得る。したがって、ある球体２７はシロップ３２を含み得、一方で他の球体２７は、たとえば液体３７との球体２７の接触の特定の期間の後でアイソトニック飲料を提供するための、他の物質を提供する。
【００８６】
さらに、球体２７には、様々なサイズが提供され得る、すなわち、これらは、図１８において示されるように、様々な大きさの直径を有し得る。様々なアイシング層厚さ３１と相互作用して、液体３７との球体２７の接触の継続時間に応じて、球体の内部３０内に位置付けられた物質（たとえばシロップ３２）を様々な量で放出することがこうして可能となる。
【００８７】
最後に、様々なアイシング層厚さ３１を有する様々な大きさの球体２７内に、様々な物質（上で説明されたように、必ずしもシロップ３２とは限らない）を配置することも可能である。結果として、液体３７への様々な量の様々な物質の混合の時間進行が、このことにより決定され得る。
【符号の説明】
【００８８】
１  受容要素
２  錠剤（分注物）
３  カバー
４  容積
５  ボトル
６  ボトルの内壁
７  閉鎖キャップ
８  動作位置
９  注出開口部
１０  長手軸
１１  閉鎖位置
１２  閉鎖キャップの開口部
１３  貫通開口部を有するさらなる要素
１４  溝
１５  貫通開口部
１６  底部表面
１７  ジャケット表面
１８  補助装置
１９  突出部
２０  受容容積
２１  カバー表面
２２  分注物形状
２３  ガーゼ
２４  分注物容積
２５  プラスチック製のスポンジ
２６  分注物の外側面
２７  球体
２８  アイシング層
２９  球体の表面
３０  球体の内部
３１  アイシング層厚さ
３２  シロップ
３３  マウスピース
３４  ねじ山
３５  表面構造
３６  閉鎖キャップ７のジャケット表面
３７  液体
３８  液体レベル
３９  障壁
４０  閉鎖キャップの縁部
４１  ヒンジ
【図１】
2016533982.tif 000003
【図２】
2016533982.tif 000004
【図３】
2016533982.tif 000005
【図４】
2016533982.tif 000006
【図５】
2016533982.tif 000007
【図６】
2016533982.tif 000008
【図７】
2016533982.tif 000009
【図８】
2016533982.tif 000010
【図９】
2016533982.tif 000011
【図１０】
2016533982.tif 000012
【図１１】
2016533982.tif 000013
【図１２】
2016533982.tif 000014
【図１３−１４】
2016533982.tif 000015
【図１５】
2016533982.tif 000016
【図１６】
2016533982.tif 000017
【図１７】
2016533982.tif 000018
【図１８】
2016533982.tif 000019
【図１９】
2016533982.tif 000020
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
液体容器、好ましくはボトル（５）、より好ましくはペットボトル上に装着するための、閉鎖キャップ（７）、好ましくはねじ式キャップであって、前記閉鎖キャップ（７）は、少なくとも、
−  好ましくは再閉鎖可能な注出開口部（９）と、
−  少なくとも１つの分注物、好ましくは少なくとも１つの錠剤（２）を受容するための受容要素（１）であって、ここにおいて、前記少なくとも１つの分注物（２）が液体（３７）と接触できるように前記受容要素（１）は前記液体（３７）が透過可能である受容要素（１）と、
−  前記少なくとも１つの分注物を受容容積（２０）内に導入するためのまたはこれを前記受容容積（２０）から取り出すための開口部（１２）と、を備え、
ここにおいて、前記受容要素（１）が、前記閉鎖キャップ（７）の動作位置（８）において作動され得、前記開口部（１２）を通して、前記受容容積から前記分注物を変更するための装填位置へ、また前記受容容積内に入り分注位置への両方に移され得ることができ、
前記閉鎖キャップ（７）上に左右に配置されている前記開口部（１２）が、前記閉鎖キャップ（７）の前記動作位置（８）において、前記受容要素（１）によって液密な様式で封止され得ることを特徴とする、閉鎖キャップ（７）。
【請求項２】
前記受容要素（１）の液密な領域が、前記受容要素の前記分注位置において、前記閉鎖キャップ（７）のジャケット表面の一部を形成することを特徴とする、請求項１に記載の閉鎖キャップ（７）。
【請求項３】
前記受容要素（１）が前記閉鎖キャップ（７）に対して、特に直線に沿って変位可能であることを特徴とする、請求項１または２に記載の閉鎖キャップ（７）。
【請求項４】
前記受容要素（１）が前記閉鎖キャップ（７）に対して回動可能であることを特徴とする、請求項１から３の何れか一項に記載の閉鎖キャップ（７）。
【請求項５】
前記受容要素（１）が、グリッドまたは格子の様式で好ましくは配置される貫通開口部（１５）を備えることを特徴とする、請求項１から４の何れか一項に記載の閉鎖キャップ（７）。
【請求項６】
前記受容要素（１）全体が、前記分注位置において、前記閉鎖キャップ（７）によって形成された容積内に配置されることを特徴とする、請求項１から５の何れか一項に記載の閉鎖キャップ（７）。
【請求項７】
前記受容要素（１）が、前記装填位置において、前記閉鎖キャップ（７）に固定される、好ましくはそこに着脱可能に固止されることを特徴とする、請求項１から６の何れか一項に記載の閉鎖キャップ（７）。
【請求項８】
前記受容要素（１）が底部表面（１６）とジャケット表面（１７）とを有し、貫通開口部（１５）が前記底部表面（１６）上に配置され、液体のための貫通開口部（１５）を有するさらなる要素（１３）が、前記受容要素（１）と前記閉鎖キャップ（７）の前記注出開口部（９）との間に配置されることを特徴とする、請求項１から７の何れか一項に記載の閉鎖キャップ（７）。
【請求項９】
前記受容要素（１）の作動を容易にするために、前記ジャケット表面（１７）上に補助装置（１８）が配置されることを特徴とする、請求項８に記載の閉鎖キャップ（７）。
【請求項１０】
前記補助装置（１８）が前記ジャケット表面（１７）にくぼみおよび／または突出部（１９）を備えることを特徴とする、請求項９に記載の閉鎖キャップ（７）。
【請求項１１】
前記受容要素（１）が、前記受容容積（２０）が前記ジャケット表面（１７）、頂部表面（２１）、および前記底部表面（１６）によって完全に取り囲まれるように、貫通開口部（１５）を有する前記頂部表面（２１）を備えることを特徴とする、請求項８から１０の何れか一項に記載の閉鎖キャップ（７）。
【請求項１２】
少なくとも１つの分注物、好ましくは錠剤（２）を備える、請求項１から１１の何れか一項に記載の閉鎖キャップ（７）。
【手続補正２】
【補正対象書類名】明細書
【補正対象項目名】００２３
【補正方法】変更
【補正の内容】
【００２３】
装填位置において受容要素が閉鎖キャップから脱落し失われるかまたは汚されることのないことを保証するために、本発明による液体容器のさらなる好ましい実施形態では、受容要素が閉鎖キャップに固止される、好ましくはこれに解放可能に固定される、ということが提供される。受容要素が閉鎖キャップから引き出しと同様に引き出され得る場合、通常の使用において完全に抜き出されることを防止し、たとえば受容要素を洗浄する目的で特定の方策によって克服され得る固着手段が設けられ得る。本発明は、（受容容積内への少なくとも１つの分注物の導入または前記受容容積からの前記分注物の取り出しを可能にするために）閉鎖キャップの動作位置において、開口部が受容要素によって液密な様式で閉鎖され得る、ということを提供する。この場合、この開口部のための別個の閉鎖具は必要とされない。受容要素自体が、開口部のための閉鎖具として使用される。特に、受容要素の液密な領域は受容要素の分注位置において、閉鎖キャップのジャケット表面の一部分を形成し得る、すなわち、閉鎖キャップの外から見える表面および受容要素はしたがって、互いの中に切れ目なく収束する。結果として、受容要素は閉鎖キャップとともに共通の外側表面を形成し、汚れが蓄積し得る突出部またはくぼみは存在しない。
【手続補正３】
【補正対象書類名】明細書
【補正対象項目名】００８７
【補正方法】変更
【補正の内容】
【００８７】
最後に、様々なアイシング層厚さ３１を有する様々な大きさの球体２７内に、様々な物質（上で説明されたように、必ずしもシロップ３２とは限らない）を配置することも可能である。結果として、液体３７への様々な量の様々な物質の混合の時間進行が、このことにより決定され得る。
ここで、出願当初の特許請求の範囲の記載を転記する。
［条項１］
液体容器、好ましくはボトル（５）、より好ましくはペットボトル上に装着するための、閉鎖キャップ（７）、好ましくはねじ式キャップであって、前記閉鎖キャップ（７）は、少なくとも、
−  好ましくは再閉鎖可能な注出開口部（９）と、
−  少なくとも１つの分注物、好ましくは少なくとも１つの錠剤（２）を受容するための受容要素（１）であって、ここにおいて、前記少なくとも１つの分注物（２）が液体（３７）と接触できるように前記受容要素（１）は前記液体（３７）が透過可能である受容要素（１）と、
−  前記少なくとも１つの分注物を受容容積（２０）内に導入するためのまたはこれを前記受容容積（２０）から取り出すための開口部（１２）と、を備え、
前記受容要素（１）が、前記閉鎖キャップ（７）の動作位置（８）において作動され得、前記開口部（１２）を通して、前記受容容積から前記分注物を変更するための装填位置へ、また前記受容容積内に入り分注位置への両方に移され得ることを特徴とする、閉鎖キャップ（７）。
［条項２］
前記開口部（１２）が、前記閉鎖キャップ（７）の前記動作位置（８）において、前記受容要素（１）によって液密な様式で封止され得ることを特徴とする、条項１に記載の閉鎖キャップ（７）。
［条項３］
前記受容要素（１）の液密な領域が、前記受容要素の前記分注位置において、前記閉鎖キャップ（７）のジャケット表面の一部を形成することを特徴とする、条項２に記載の閉鎖キャップ（７）。
［条項４］
前記受容要素（１）が前記閉鎖キャップ（７）に対して、特に直線に沿って変位可能であることを特徴とする、条項１から３の何れか一項に記載の閉鎖キャップ（７）。
［条項５］
前記受容要素（１）が前記閉鎖キャップ（７）に対して回動可能であることを特徴とする、条項１から４の何れか一項に記載の閉鎖キャップ（７）。
［条項６］
前記受容要素（１）が、グリッドまたは格子の様式で好ましくは配置される貫通開口部（１５）を備えることを特徴とする、条項１から５の何れか一項に記載の閉鎖キャップ（７）。
［条項７］
前記受容要素（１）全体が、前記分注位置において、前記閉鎖キャップ（７）によって形成された容積内に配置されることを特徴とする、条項１から６の何れか一項に記載の閉鎖キャップ（７）。
［条項８］
前記受容要素（１）が、前記装填位置において、前記閉鎖キャップ（７）に固定される、好ましくはそこに着脱可能に固止されることを特徴とする、条項１から７の何れか一項に記載の閉鎖キャップ（７）。
［条項９］
前記受容要素（１）が底部表面（１６）とジャケット表面（１７）とを有し、貫通開口部（１５）が前記底部表面（１６）上に配置され、液体のための貫通開口部（１５）を有するさらなる要素（１３）が、前記受容要素（１）と前記閉鎖キャップ（７）の前記注出開口部（９）との間に配置されることを特徴とする、条項１から８の何れか一項に記載の閉鎖キャップ（７）。
［条項１０］
前記受容要素（１）の作動を容易にするために、前記ジャケット表面（１７）上に補助装置（１８）が配置されることを特徴とする、条項９に記載の閉鎖キャップ（７）。
［条項１１］
前記補助装置（１８）が前記ジャケット表面（１７）にくぼみおよび／または突出部（１９）を備えることを特徴とする、条項１０に記載の閉鎖キャップ（７）。
［条項１２］
前記受容要素（１）が、前記受容容積（２０）が前記ジャケット表面（１７）、頂部表面（２１）、および前記底部表面（１６）によって完全に取り囲まれるように、貫通開口部（１５）を有する前記頂部表面（２１）を備えることを特徴とする、条項９から１１の何れか一項に記載の閉鎖キャップ（７）。
［条項１３］
条項１から１２の何れか一項に記載の閉鎖キャップ（７）の受容要素（１）内に受容するための、分注物、好ましくは錠剤（２）。
［条項１４］
前記分注物（２）が、飲料を生成するための、ならびに／または、フレーバーおよび／もしくは栄養素および／もしくは栄養補助剤および／もしくは医薬化合物を放出するための、少なくとも１つの水溶性要素（２７）を備えることを特徴とする、条項１３に記載の分注物（２）。
［条項１５］
前記分注物（２）が、前記受容要素（１）が前記開口部（１２）を通して押されることを可能にする寸法を有することを特徴とする、条項１３または１４に記載の分注物（２）。
［条項１６］
前記分注物（２）がスポンジ、好ましくはプラスチック製のスポンジ（２５）を備えることを特徴とする、条項１３から１５の一項に記載の分注物（２）。
［条項１７］
前記分注物（２）が、前記分注物（２）を分注物形状（２５）に維持する、液体が透過可能なネット状布帛、特にガーゼ（２３）を備えることを特徴とする、条項１３から１６の何れか一項に記載の分注物（２）。
［条項１８］
前記ネット状布帛（２３）が、前記分注物の外側面（２６）上に配置されることを特徴とする、条項１７に記載の分注物（２）。
［条項１９］
前記少なくとも１つの水溶性要素が、表面（２９）が水溶性層（２８）によって形成され、内部（３０）がフレーバーおよび／または栄養素および／または栄養補助剤および／または医薬化合物を含むシロップ（３２）または茶などの物質で充填される、球体（２７）に関与することを特徴とする、条項１４から１８の何れか一項に記載の分注物（２）。
［条項２０］
同じ物質（３２）または異なる複数の物質（３２）を有するいくつかの球体（２７）が分注物容積（２４）内に配置され、特に前記１つの物質（３２）または前記複数の物質（３２）の連続的な分注を可能にするために、前記球体（２７）の前記水溶性層（２８）が様々な層厚さ（３１）を有することを特徴とする、条項１９に記載の分注物（２）。
［条項２１］
条項１３から２０の一項に記載の少なくとも１つの分注物、好ましくは錠剤（２）を備える、条項１から１２の何れか一項に記載の閉鎖キャップ（７）。
［条項２２］
条項１から１２の何れか一項に記載の閉鎖キャップ（７）の受容要素（１）における、分注物、好ましくは錠剤（２）の使用。
【国際調査報告】
2016533982.tif 000021
2016533982.tif 000022
2016533982.tif 000023
2016533982.tif 000024
2016533982.tif 000025
2016533982.tif 000026
2016533982.tif 000027
2016533982.tif 000028
2016533982.tif 000029